(57)【要約】【課題】タッチパネル式のディスプレイを搭載する携帯端末において、文字検索及び文字決定で画面移行を伴うことなく、最小限度の画面接触動作でスムーズな文字入力ができるようにする。【解決手段】携帯端末は、見出し文字と文字入力の対象となる入力文字情報とを関連付けて保持する文字情報保持手段と、ディスプレイ上のユーザの接触位置を検出する位置検出手段と、ディスプレイの対向する左右両端領域に見出し文字を配置して表示するとともに、位置検出手段による検出結果に基づいて文字情報保持手段から入力文字情報を読み出してディスプレイに表示する表示制御手段と、表示制御手段により表示された入力文字情報の表示位置において、ユーザによるディスプレイへの接触が解消されたことが位置検出手段により検出された場合に、表示位置の入力文字情報を入力する文字入力手段と、を有する。【選択図】図１
2010191537.tif 000002
【特許請求の範囲】
【請求項１】
見出し文字と文字入力の対象となる入力文字情報とを関連付けて保持する文字情報保持手段と、
ディスプレイ上のユーザの接触位置を検出する位置検出手段と、
ディスプレイの対向する左右両端領域に前記見出し文字を配置して表示するとともに、前記位置検出手段による検出結果に基づいて前記文字情報保持手段から前記入力文字情報を読み出してディスプレイに表示する表示制御手段と、
前記表示制御手段により表示された前記入力文字情報の表示位置において、ユーザによるディスプレイへの接触が解消されたことが前記位置検出手段により検出された場合に、前記表示位置の入力文字情報を入力する文字入力手段と、
を有することを特徴とする携帯端末。
【請求項２】
前記表示制御手段は、ＱＷＥＲＴＹ配列に基づいてアルファベットをディスプレイの対向する左右両端領域に配置して表示することを特徴とする請求項１に記載の携帯端末。
【請求項３】
前記文字情報保持手段は、前記見出し文字として、母音を示すアルファベット及び平仮名をローマ字表記した場合の母音以外に用いられるアルファベットを保持することを特徴とする請求項１又は２に記載の携帯端末。
【請求項４】
前記文字情報保持手段は、前記入力文字情報として、前記見出し文字として用いられるアルファベットからローマ字変換により求められる平仮名の一群を前記アルファベットごとに関連付けて保持することを特徴とする請求項１から３のいずれか１項に記載の携帯端末。
【請求項５】
前記文字入力手段は、前記表示制御手段による前記入力文字情報の表示前に、ユーザによるディスプレイへの接触が解消されたことが前記位置検出手段により検出された場合、前記入力文字情報の入力を行わないことを特徴とする請求項１から４のいずれか１項に記載の携帯端末。
【請求項６】
前記文字入力手段は、前記表示制御手段により表示された前記入力文字情報の表示位置以外の位置において、ユーザによるディスプレイへの接触が解消されたことが前記位置検出手段により検出された場合、前記入力文字情報の入力を行わないことを特徴とする請求項１から５のいずれか１項に記載の携帯端末。
【請求項７】
ディスプレイの対向する左右両端領域に見出し文字を配置して表示する見出し文字表示ステップと、
前記見出し文字表示ステップで表示された前記見出し文字に対してユーザが接触したディスプレイ上の位置を検出する第１位置検出ステップと、
前記第１位置検出ステップでの検出結果に基づいて、前記見出し文字と文字入力の対象となる入力文字情報とを関連付けて保持する記憶手段から前記入力文字情報を読み出してディスプレイに表示する入力文字情報表示ステップと、
前記第入力文字情報表示ステップで表示された前記入力文字情報に対してユーザが接触を解消したディスプレイ上の位置を検出する第２位置検出ステップと、
前記第２位置検出ステップでの検出結果に基づいて、前記接触を解消した位置に表示された入力文字情報を入力する文字情報入力ステップと、
を有することを特徴とする携帯端末の文字入力方法。
【請求項８】
コンピュータに、
ディスプレイの対向する左右両端領域に見出し文字を配置して表示する見出し文字表示処理と、
前記文字表示処理で表示された見出し文字に対するユーザの接触位置の検出結果に基づいて、前記見出し文字と文字入力の対象となる入力文字情報とを関連付けて保持する記憶手段から前記入力文字情報を読み出してディスプレイに表示する入力文字情報表示処理と、
前記入力文字情報表示処理で表示された前記入力文字情報に対するユーザの接触位置の検出結果に基づいて、前記接触を解消した位置に表示された入力文字情報を入力する文字情報入力処理と、
を実行させることを特徴とするプログラム。
【請求項９】
請求項８に記載のプログラムを記録しコンピュータ読み取り可能なことを特徴とする記録媒体。
【発明の詳細な説明】
【技術分野】
【０００１】
本発明は、携帯端末、その文字入力方法、プログラム及び記録媒体に関し、特に、例えばタッチパネル式のディスプレイを搭載する携帯端末における文字入力に好ましく適用される技術に関するものである。
【背景技術】
【０００２】
近年、携帯電話、ＰＨＳ（Personal Handy-phone System）、ＰＤＡ（Personal Digital Assistant）等、様々な携帯端末が市場において提供されている。これらの携帯端末は、入出力インタフェースとして、液晶等の表示部や、複数のスイッチ（例えばデジットキー）、タッチパネル等の操作部を備え、ユーザが外出先で簡便に情報を参照し、入力しうるように構成されている。
【０００３】
デジットキーによる文字入力では、ユーザが意図した文字を表示するには同一キーを所定回数だけ押下する必要がある。表示される文字はキーの押下回数で決まるため、押下する回数が１回でも多いと意図した文字とは異なる文字が表示され、所望の文字を表示させるためにさらに多くの回数だけキーを押さなければならなくなる。また、拗音、促音、濁音の入力を行う際、ＱＷＥＲＴＹ配列のキーボード入力に比べて入力ステップ数が多くなる。このように、デジットキーによる文字入力は、操作方法としてシンプルであるものの、比較的時間のかかるやり方といえる。
【０００４】
他方、タッチパネルによる文字入力は、一般に平仮名の５０音を全てディスプレイに表示してユーザに所望の文字を選択させて入力を行う。このため、タッチパネルによる文字入力は、ユーザにとって直感的な端末操作が可能となることもあり、表示機能及び入力機能を備えたタッチパネル式のディスプレイを搭載する携帯端末は注目を集めている。ところが、構造上ディスプレイの大きさに制約がある携帯端末においては、ユーザの指でタッチしやすい文字サイズの平仮名５０音を全て画面表示することは困難である。
【０００５】
例えば特許文献１では、効率的な文字入力を確保しつつ、文字入力のためのキーの表示が、他の情報の表示の妨げになることを最小限に抑制できる携帯端末が開示されている。当該携帯端末においては、ディスプレイの左右両端に５０音の各行の頭文字が表示され、一方の側に配置された頭文字をタッチした場合に、その頭文字の属する行の平仮名が他方の側に表示される。
【先行技術文献】
【特許文献】
【０００６】
【特許文献１】特開２００６−１４８５３６号公報
【発明の概要】
【発明が解決しようとする課題】
【０００７】
特許文献１の発明は、平仮名５０音の全てをディスプレイ全体に表示することなく、限られた領域に必要最小限の文字を表示させてユーザに文字入力を行わせるものであるが、ユーザに要求する動作としては冗長な部分があり、スムーズな文字入力を実現するものとはいえない。すなわち、複数の文字を連続して入力しようとする場合、初期画面（５０音の各行の頭文字が表示されている状態）と文字選択画面（所望の文字が属する行の全ての文字が表示されている状態）とで操作する必要があり、文字検索と文字決定で画面移行が発生してしまう。また、画面移行のたびに画面へのタッチが必要となってしまう。
【０００８】
そこで、本発明は、タッチパネル式のディスプレイを搭載する携帯端末において、文字検索及び文字決定で画面移行を伴うことなく、最小限度の画面接触動作でスムーズな文字入力ができるようにすることを目的とする。
【課題を解決するための手段】
【０００９】
本発明の携帯端末は、見出し文字と文字入力の対象となる入力文字情報とを関連付けて保持する文字情報保持手段と、ディスプレイ上のユーザの接触位置を検出する位置検出手段と、ディスプレイの対向する左右両端領域に見出し文字を配置して表示するとともに、位置検出手段による検出結果に基づいて文字情報保持手段から入力文字情報を読み出してディスプレイに表示する表示制御手段と、表示制御手段により表示された入力文字情報の表示位置において、ユーザによるディスプレイへの接触が解消されたことが位置検出手段により検出された場合に、表示位置の入力文字情報を入力する文字入力手段と、を有する。
【００１０】
本発明の携帯端末の文字入力方法は、ディスプレイの対向する左右両端領域に見出し文字を配置して表示する見出し文字表示ステップと、見出し文字表示ステップで表示された見出し文字に対してユーザが接触したディスプレイ上の位置を検出する第１位置検出ステップと、第１位置検出ステップでの検出結果に基づいて、見出し文字と文字入力の対象となる入力文字情報とを関連付けて保持する記憶手段から入力文字情報を読み出してディスプレイに表示する入力文字情報表示ステップと、第入力文字情報表示ステップで表示された入力文字情報に対してユーザが接触を解消したディスプレイ上の位置を検出する第２位置検出ステップと、第２位置検出ステップでの検出結果に基づいて、接触を解消した位置に表示された入力文字情報を入力する文字情報入力ステップと、を有する。
【００１１】
本発明のプログラムは、コンピュータに、ディスプレイの対向する左右両端領域に見出し文字を配置して表示する見出し文字表示処理と、文字表示処理で表示された見出し文字に対するユーザの接触位置の検出結果に基づいて、見出し文字と文字入力の対象となる入力文字情報とを関連付けて保持する記憶手段から入力文字情報を読み出してディスプレイに表示する入力文字情報表示処理と、入力文字情報表示処理で表示された入力文字情報に対するユーザの接触位置の検出結果に基づいて、接触を解消した位置に表示された入力文字情報を入力する文字情報入力処理と、を実行させる。
【００１２】
本発明の記録媒体は、上記のプログラムを記録したコンピュータ読み取り可能な記録媒体である。
【発明の効果】
【００１３】
本発明によれば、タッチパネル式のディスプレイを搭載する携帯端末において、文字検索及び文字決定で画面移行を伴うことなく、最小限度の画面接触動作でスムーズな文字入力を行うことが可能となる。
【図面の簡単な説明】
【００１４】
【図１】本発明に係る携帯端末の構成を示した図である。
【図２】本発明の実施形態に係る携帯電話機のハードウエア構成を示した図である。
【図３】本発明の実施形態に係る携帯電話機の文字入力処理の流れを示したフローチャートである。
【図４】本発明の実施形態における文字変換表（アルファベットと平仮名の対応テーブル）を示した図である。
【図５】本発明の実施形態における文字変換表（アルファベットと平仮名の対応テーブル）を示した図である。
【図６】本発明の実施形態における文字変換表（アルファベットと平仮名の対応テーブル）を示した図である。
【図７】本発明の実施形態における文字変換表（アルファベットと平仮名の対応テーブル）を示した図である。
【図８】本発明の実施形態における文字変換表（アルファベットと平仮名の対応テーブル）を示した図である。
【図９】本発明の実施形態における文字変換表（アルファベットと平仮名の対応テーブル）を示した図である。
【図１０】本発明の実施形態における文字変換表（アルファベットと平仮名の対応テーブル）を示した図である。
【図１１】本発明の実施形態における文字変換表（アルファベットと平仮名の対応テーブル）を示した図である。
【図１２】本発明の実施形態における文字変換表（アルファベットと平仮名の対応テーブル）を示した図である。
【図１３】本発明の実施形態における文字変換表（アルファベットと平仮名の対応テーブル）を示した図である。
【図１４】本発明の実施形態における文字変換表（アルファベットと平仮名の対応テーブル）を示した図である。
【図１５】本発明の実施形態における文字変換表（アルファベットと平仮名の対応テーブル）を示した図である。
【図１６】本発明の実施形態における文字入力例を説明するための図である。
【図１７】本発明の実施形態における文字入力例を説明するための図である。
【図１８】本発明の実施形態における文字入力例を説明するための図である。
【図１９】本発明の実施形態における文字入力例を説明するための図である。
【発明を実施するための形態】
【００１５】
本発明が適用される携帯端末は、図１に示すように、文字情報保持手段２、位置検出手段３、表示制御手段４、文字入力手段５を有して構成される。
【００１６】
文字情報保持手段２は、見出し文字と文字入力の対象となる入力文字情報とを関連付けて保持する。見出し文字は入力文字情報を検索するために用いられる文字であり、例えば、平仮名をローマ字表記した場合の母音以外に用いられるアルファベットや、平仮名５０音の各行の頭文字が挙げられる。位置検出手段３は、ディスプレイ上のユーザの接触位置を検出する。
【００１７】
表示制御手段４は、ディスプレイにおける対向する左右両端の領域に見出し文字を配置して表示する。また、表示制御手段４は、位置検出手段３での検出結果に基づいて、検出された位置の見出し文字に関連付けられた入力文字情報を文字情報保持手段２から読み出してディスプレイに表示する。文字入力手段５は、表示制御手段４が表示した入力文字情報の表示位置において、ユーザによるディスプレイへの接触が解消された（ディスプレイ上からユーザの指がリリースされた）ことが位置検出手段３により検出された場合に、リリースされた位置に表示されていた入力文字情報を入力する。
【００１８】
本発明では、表示制御手段４が、文字検索のためにディスプレイの左右両端に見出し文字を表示するとともに、画面遷移を行わずに、画面接触された見出し文字に関連付けられた入力文字情報を表示する。また、文字入力手段５が、画面接触により文字選択を継続させつつ、画面接触の解消をトリガとして、接触が解消された位置に表示された入力文字情報を最終的に決定して文字入力を行う。このため、文字検索及び文字決定のたびに画面移行や所定の操作が必要とならず、最小限度の画面接触動作でスムーズな文字入力を行うことが可能である。
【００１９】
以下、本発明の実施形態について図面を参照して説明する。
【００２０】
図２は、本発明の実施形態に係る携帯電話機のハードウエア構成を示した図である。本実施形態の携帯電話機は、ＣＰＵ（Central Processing Unit）１０、ＲＯＭ（Read Only Memory）２０、ＲＡＭ（Random Access Memory）３０、ディスプレイ４０、記憶部５０を有して構成される。
【００２１】
ＣＰＵ１０は、ＲＯＭ２０に格納されたプログラムに従って、携帯電話機の全体動作を制御する。また、ＣＰＵ１０は、本発明特有の文字入力動作を行うためのプログラムをＲＯＭ２０から読み込み、図１の表示制御手段４及び文字入力手段５に相当する手段を主記憶上に構成する。
【００２２】
ＲＯＭ２０は、携帯電話機全体の制御プログラムや本発明特有の文字入力処理を行うための専用プログラムを格納する。ＲＡＭ３０は、ＣＰＵ１０による全体制御や文字入力処理の際の用いられる一時的な記憶領域を持つ。
【００２３】
ディスプレイ４０は、表示部４１及びタッチパネル４２を有して構成され、表示機能及び入力機能を持つ入出力装置である。表示部４１は、各種情報をディスプレイ４０上に画面表示する。タッチパネル４２は、図１の位置検出手段３に相当する構成で、ユーザの指の触れたディスプレイ上の位置情報を検出する。
【００２４】
記憶部５０は、図１の文字情報保持手段２に相当する構成で、文字検索の見出し文字としてのアルファベットと文字入力の対象となる平仮名とを関連付けて保持する。本実施形態では、記憶部５０は、図４から図１５に示すような、アルファベットと平仮名の対応テーブルである文字変換表を保持する。
【００２５】
図３は、本発明の実施形態に係る携帯電話機の文字入力処理の流れを示したフローチャートである。
【００２６】
なお、本実施形態では、文字入力を行う平仮名を検索するための見出し文字としてアルファベットを用い、ＱＷＥＲＴＹ配列に基づいてアルファベットをディスプレイの左右両端の領域に分けて配置する。すなわち、図１６に示すように、ディスプレイの左端にＡ、Ｗ、Ｒ、Ｔ、Ｓ、Ｄ、Ｆ、Ｇ、Ｚ、Ｘ、Ｖ、Ｂを上から順に表示し、右端にＵ、Ｙ、Ｐ、Ｈ、Ｊ、Ｋ、Ｎ、Ｍ、ー（長音符）を上から順に表示する。アルファベットをＱＷＥＲＴＹ配列に基づいて配置するのは、デジットキーによる文字入力と比較して入力ステップ数を少なくでき（特に拗音、促音、濁音の場合）、またユーザにとってキーボードを使用した文字入力と同様のスムーズな文字入力を行わせるためである。
【００２７】
まず、表示制御手段４としてのＣＰＵ１０は、表示部４１にＱＷＥＲＴＹ配列によるアルファベットをディスプレイの左右両端の領域に表示させる（ステップＳ１）。そして、ユーザによるディスプレイ４０への入力動作を受けて、位置検出手段３としてのタッチパネル４２は、ディスプレイ上のユーザの指の接触位置を検出する（ステップＳ２）。ＣＰＵ１０は、タッチパネル４２が検出した接触位置の情報を取得する。
【００２８】
ＣＰＵ１０は、タッチパネル４２から取得したユーザの接触位置とアルファベットの表示位置との一致を監視し、指接触位置とアルファベット表示位置が一致した場合（ステップＳ３／ＹＥＳ）に、該接触位置と一致した表示位置のアルファベットに関連付けられた平仮名の文字群を、文字情報保持手段２としての記憶部５０から読み出す（ステップＳ４）。なお、ＣＰＵ１０は、指接触位置とアルファベット表示位置の一致を監視するに際し、アルファベットの表示位置の情報を保持するように構成してもよいし、ＲＡＭ３０の保持した表示位置情報を参照するように構成してもよい。
【００２９】
次に、ＣＰＵ１０は、記憶部５０から読み出した平仮名の文字群の情報を表示部４１に送出し、表示部４１にアルファベットに関連する平仮名の文字群を表示させる（ステップＳ５）。
【００３０】
続いて、ユーザによる平仮名の文字選択を受けて、タッチパネル４２はユーザの指の接触位置及び接触状態を検出してその情報をＣＰＵ１０に送る。ＣＰＵ１０は、ユーザの指がリリースされた状態及びその位置の情報をタッチパネル４２から受け取った場合（ステップＳ６／ＹＥＳ）、リリースされた位置に表示された平仮名を入力文字と決定し（ステップＳ７）、文字入力を行う（ステップＳ８）。ユーザの指がリリースされた位置が平仮名文字群の表示位置以外の位置であった場合（ステップＳ６／ＮＯ）、ＣＰＵ１０は、エラーとして文字入力は行わない（ステップＳ９）。
【００３１】
図４から図１９を参照してさらに具体的に説明する。本実施形態では、先に述べたように、文字入力を行う際、ディスプレイの左端にＡ、Ｗ、Ｒ、Ｔ、Ｓ、Ｄ、Ｆ、Ｇ、Ｚ、Ｘ、Ｖ、Ｂを上から順に表示し、右端にＵ、Ｙ、Ｐ、Ｈ、Ｊ、Ｋ、Ｎ、Ｍ、ー（長音符）を上から順に表示する。いずれかのアルファベットにタッチするとタッチした文字が表示されている右（左端のアルファベットをタッチした場合）か、左（右端のアルファベットをタッチした場合）にタッチしたアルファベットを最初の入力とした関連文字が表示される。そして、タッチしたまま表示されたいずれかの文字を選択し、指をリリースすると文字を確定する。
【００３２】
左側のアルファベットをタッチした際に表示される文字は、ローマ字入力で「タッチしたアルファベット」＋「“Ｙ”、“Ｈ”（対応する文字がある場合のみ）」＋「母音（“Ａ”、"Ｉ"、"Ｕ"、"Ｅ"、"Ｏ"（母音の並び順は左記順とする））」である。ただし、"Ａ"をタッチした場合には"Ａ"の右側に向かって順に"あ"、"え"を表示する（図１６を参照）。また、右側のアルファベットをタッチした際に表示される文字は、ローマ字入力で「タッチしたアルファベット」＋「"Ｙ"、"Ｈ"（対応する文字がある場合のみ）」＋「母音（"Ｏ"、"Ｅ"、 "Ｕ"、 "Ｉ"、"Ａ"（母音の並び順は左記順とする））」とする。ただし、"Ｕ"をタッチした場合には"Ｕ"の左側に向かって順に"い"、"う"、"お"を表示する。
【００３３】
例えば、ディスプレイの左端にＡ、Ｗ、Ｒ、Ｔ、Ｓ、Ｄ、Ｆ、Ｇ、Ｚ、Ｘ、Ｖ、Ｂの順に、右端にＵ、Ｙ、Ｐ、Ｈ、Ｊ、Ｋ、Ｎ、Ｍ、ー（長音符）の順に表示された状態で、文字入力を開始し、"Ａ"にタッチする（図１６（１））。左右両端のアルファベットの中から"Ａ"が選択されると、図４（ａ）に示す文字変換表に従って、"Ａ"の右側に"あ"、"え"が表示される。このときユーザの指は"Ａ"の位置にタッチされたままである。そして、ユーザの指がタッチされた状態で"あ"まで移動した場合、入力文字として"あ"が選択された状態となる（図１６（２））。この状態でユーザの指がリリースされた場合には、"あ"が入力文字として確定する（図１６（３））。このように、入力文字の確定はリリースされた時点で行われるため、図１６（２）のようにディスプレイにタッチした状態であれば、“え”に指を移動させて“え“を選択することが可能である。
【００３４】
また例えば、ディスプレイの左端にＡ、Ｗ、Ｒ、Ｔ、Ｓ、Ｄ、Ｆ、Ｇ、Ｚ、Ｘ、Ｖ、Ｂの順に、右端にＵ、Ｙ、Ｐ、Ｈ、Ｊ、Ｋ、Ｎ、Ｍ、ー（長音符）の順に表示された状態で、"Ｕ"がタッチされた場合、図４（ｂ）に示す文字変換表に従って、"Ｕ"の左側に"お"、"う"、“い”が表示される（図１７（１））。そして、ユーザの指がタッチされた状態で"う"まで移動した場合は入力文字として"う"が選択された状態となり（図１７（２））、この状態でユーザの指がリリースされた場合に"あ"が入力文字として確定する（図１７（３））。
【００３５】
例えば、ディスプレイの左端にＡ、Ｗ、Ｒ、Ｔ、Ｓ、Ｄ、Ｆ、Ｇ、Ｚ、Ｘ、Ｖ、Ｂの順に、右端にＵ、Ｙ、Ｐ、Ｈ、Ｊ、Ｋ、Ｎ、Ｍ、ー（長音符）の順に表示された状態で、"Ｔ"がタッチされた場合、図７（ａ）に示す文字変換表に従って、"Ｔ"の右側に"た"、"ち"、“つ”、“て”、“と”が表示される。また、「"Ｔ"＋“Ｈ”＋母音」及び「"Ｔ"＋“Ｙ”＋母音」でローマ字入力した場合の平仮名の文字が存在するため、"てゃ"、"てゅ"、“てょ”、“ちゃ”、“ちぃ”、“ちゅ”、“ちぇ”、“ちょ”が、"た"、"ち"、“つ”、“て”、“と”の上下に表示される（図１８（１））。そして、ユーザの指がタッチされた状態で"ちぇ"まで移動した場合は入力文字として"ちぇ"が選択された状態となり（図１８（２））、この状態でユーザの指がリリースされた場合に"ちぇ"が入力文字として確定する（図１８（３））。
【００３６】
例えば、ディスプレイの左端にＡ、Ｗ、Ｒ、Ｔ、Ｓ、Ｄ、Ｆ、Ｇ、Ｚ、Ｘ、Ｖ、Ｂの順に、右端にＵ、Ｙ、Ｐ、Ｈ、Ｊ、Ｋ、Ｎ、Ｍ、ー（長音符）の順に表示された状態で、"Ｈ"がタッチされた場合、図７（ｂ）に示す文字変換表に従って、"Ｈ"の左側に"ほ"、"へ"、“ふ”、“ひ”、“は”が表示される。また、「"Ｈ"＋“Ｙ”＋母音」でローマ字入力した場合の平仮名の文字が存在するため、 “ひょ”、“ひぇ”、“ひゅ”、“ひぃ”、“ひゃ”が、"ほ"、"へ"、“ふ”、“ひ”、“は”の下に表示される（図１９（１））。そして、ユーザの指がタッチされた状態で"ひぇ"まで移動した場合は入力文字として"ひぇ"が選択された状態となり（図１９（２））、この状態でユーザの指がリリースされた場合に"ひぇ"が入力文字として確定する（図１９（３））。
【００３７】
本実施形態によれば、左側に一列、右側に一列の文字表示領域を確保するだけで文字入力を行うことができるため、文字入力以外の表示を効率的に行うことができる。また、一列であるため、左右の間隔を広くするといった配慮を行う必要がなくなる。
【００３８】
本実施形態によれば、ＱＷＥＲＴＹ配列のキーボードに慣れ親しんでいるユーザにとっては、左側のアルファベットは左手で押すキー、右側のアルファベットは右手で押すキーとして認識でき、並び順もＱＷＥＲＴＹ配列を踏襲したものであることから、スムーズな入力が可能になる。
【００３９】
本実施形態によれば、左側のアルファベットを選択した際は左側から母音“あ”、“い”、“う”、“え”、“お”の文字を順に表示し、右側のアルファベットを選択した際は右側から母音“あ”、“い”、“う”、“え”、“お”の文字を順に表示することで、同じ母音までの距離が左右のどちらから選択しても同じになるため、スムーズな入力が可能になる。
【００４０】
本実施形態によれば、ＱＷＥＲＴＹ配列のキーボード入力のように拗音、促音、濁音の入力を簡単に行える。また、常に２アクション（タッチ＋リリース）で文字入力が可能となる。
【００４１】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００４２】
すなわち、本実施形態における携帯電話機で実行されるプログラムは、先に述べた各手段（表示制御手段４、文字入力手段５）を含むモジュール構成となっており、実際のハードウエアを用いて具体的手段を実現する。すなわち、コンピュータ（ＣＰＵ）が所定の記録媒体からプログラムを読み出して実行することにより上記各手段が主記憶装置上にロードされて生成される。
【００４３】
本実施形態における携帯電話機で実行されるプログラムは、インターネット等のネットワークに接続されたコンピュータ上に格納され、ネットワーク経由でダウンロードさせることにより提供されるように構成してもよい。また、上記プログラムをインターネット等のネットワーク経由で提供あるいは配布するように構成してもよい。
【００４４】
また、上記プログラムは、インストール可能な形式又は実行可能な形式のファイルで、フロッピー（登録商標）ディスク、ハードディスク、光ディスク、光磁気ディスク、ＣＤ−ＲＯＭ、ＣＤ−Ｒ、ＤＶＤ、不揮発性のメモリカード等のコンピュータで読み取り可能な記録媒体に記録されて提供されるように構成してもよい。また、上記プログラムは、ＲＯＭ等にあらかじめ組み込んで提供するように構成してもよい。
【００４５】
この場合、上記記録媒体から読み出された又は通信回線を通じてロードし実行されたプログラムコード自体が前述の実施形態の機能を実現することになる。そして、そのプログラムコードを記録した記録媒体は本発明を構成する。
【符号の説明】
【００４６】
１    携帯端末
２    文字情報保持手段
３    位置検出手段
４    表示制御手段
５    文字入力手段
１０    ＣＰＵ
２０    ＲＯＭ
３０    ＲＡＭ
４０    ディスプレイ
４１    表示部
４２    タッチパネル
５０    記憶部
【図１】
2010191537.tif 000003
【図２】
2010191537.tif 000004
【図３】
2010191537.tif 000005
【図４】
2010191537.tif 000006
【図５】
2010191537.tif 000007
【図６】
2010191537.tif 000008
【図７】
2010191537.tif 000009
【図８】
2010191537.tif 000010
【図９】
2010191537.tif 000011
【図１０】
2010191537.tif 000012
【図１１】
2010191537.tif 000013
【図１２】
2010191537.tif 000014
【図１３】
2010191537.tif 000015
【図１４】
2010191537.tif 000016
【図１５】
2010191537.tif 000017
【図１６】
2010191537.tif 000018
【図１７】
2010191537.tif 000019
【図１８】
2010191537.tif 000020
【図１９】
2010191537.tif 000021